(57)【要約】【課題】入場者に関する属性情報に対応した案内情報を表示することができる電子入場券および情報提供システムを提供する。【解決手段】入場者に関する属性情報７を記憶する属性情報記憶手段３６と、外部装置から属性情報７を含む１以上の案内情報を受信する情報受信手段２３と、受信した１以上の案内情報に含まれる属性情報７が、記憶した属性情報７と一致するか否かを判別する属性情報判別手段と、属性情報判別手段により、属性情報７が一致した場合、当該属性情報７を含む案内情報を表示する表示手段２１と、を備える。【選択図】図６
2009223465.tif 000002
【特許請求の範囲】
【請求項１】
入場者に関する属性情報を記憶する属性情報記憶手段と、
外部装置から前記属性情報を含む１以上の案内情報を受信する情報受信手段と、
受信した前記１以上の案内情報に含まれる前記属性情報が、記憶した前記属性情報と一致するか否かを判別する属性情報判別手段と、
前記属性情報判別手段により、前記属性情報が一致した場合、当該属性情報を含む前記案内情報を表示する表示手段と、を備えたことを特徴とする電子入場券。
【請求項２】
前記属性情報は、
大人・子供の区分および言語タイプの少なくとも一方を示す情報を含むことを特徴とする請求項１に記載の電子入場券。
【請求項３】
カード型の媒体であることを特徴とする請求項１または２に記載の電子入場券。
【請求項４】
前記表示手段は、
電子ペーパーで形成されていることを特徴とする請求項１ないし３のいずれか１項に記載の電子入場券。
【請求項５】
請求項１ないし４のいずれか１項に記載の電子入場券と、
前記外部装置として機能する情報提供装置と、
前記電子入場券に前記属性情報を書き込む発券装置と、から構成されることを特徴とする情報提供システム。
【発明の詳細な説明】
【技術分野】
【０００１】
本発明は、テーマパーク等での案内情報を表示する電子入場券および情報提供システムに関するものである。
【背景技術】
【０００２】
従来、遊園地などのテーマパークにおいて、アトラクション（テーマ）に関する情報を提供する情報提供システムが知られている。この情報提供システムは、当該入場券で使用可能なアトラクションを示すマークパターンとして透明のバーコードが形成された入場券と、当該入場券で使用可能なテーマの内容や混雑情報を表示する情報提供装置とを有している。そして、テーマパーク内の所定の位置に設置された情報提供装置に、入場者が所有する入場券を挿入することで、当該入場券で使用可能なアトラクションに関する混雑情報や内容を表示する（例えば、特許文献１参照）。
【特許文献１】特開平６−２０３０４６号公報
【発明の開示】
【発明が解決しようとする課題】
【０００３】
ところで、上述の情報提供システムでは、アトラクションの内容や待ち時間等の案内情報は、表示する言語や言葉使いが限られるため、例えば、表示言語が理解できない外国人や、難しい漢字や言葉使いが分からない子供にとっては、提供される情報は意味をもたず、万人に適した情報提供ができないという問題がある。
【０００４】
本発明は、このような問題点に鑑み、入場者に関する属性情報に対応した案内情報を表示することができる電子入場券および情報提供システムを提供することを目的とする。
【課題を解決するための手段】
【０００５】
本発明の電子入場券は、入場者に関する属性情報を記憶する属性情報記憶手段と、外部装置から属性情報を含む１以上の案内情報を受信する情報受信手段と、受信した１以上の案内情報に含まれる属性情報が、記憶した属性情報と一致するか否かを判別する属性情報判別手段と、属性情報判別手段により、属性情報が一致した場合、当該属性情報を含む案内情報を表示する表示手段と、を備えたことを特徴とする。
【０００６】
また、本発明の電子入場券において、属性情報は、大人・子供の区分および言語タイプの少なくとも一方を示す情報を含むことが好ましい。
【０００７】
これらの構成によれば、電子入場券は、外部装置から属性情報（例えば、大人・子供の区分や言語タイプ等）を含む１以上の案内情報を受信し、その中から自身に記憶された属性情報に一致する案内情報を抽出して表示する。この電子入場券を発券する際に、入場者（購入者）の属性情報を当該電子入場券に記憶させることで、例えば、記憶した属性情報が「子供・日本語」の場合、ひらがなを多く用いた子供向けの日本語表記の案内情報が自動的に表示され、「大人・英語」であれば、大人向けの英語表記の案内情報が自動的に表示されるなど、当該電子入場券を所有する入場者に適した案内情報を自動的に表示することができる。また、属性情報として、「大人・子供の区分」を記憶することで、従来のように複数タイプの入場券（大人用入場券、子供用入場券等）を備える必要がなく、運営企業側の管理コストの負担を軽減することができる。また、属性情報として、「言語タイプ」を記憶することで、様々な言語で記された入場券を備える必要がなく、入場券にかかるコストを削減することができる。
【０００８】
本発明の電子入場券は、カード型の媒体であることが好ましい。
【０００９】
この構成によれば、電子入場券は、カード型の形状に形成されている。これにより、一般的に普及している入場券の代わりとして違和感無く利用することが可能であり、また、テーマパーク等で、激しい動きをするアトラクションを利用する場合でも、邪魔にならず、利便性が良い。
【００１０】
本発明の電子入場券において、表示手段は、電子ペーパーで形成されていることが好ましい。
【００１１】
この構成によれば、電子入場券の表示手段は、電子ペーパーで形成されている。これにより、表示内容の書き換え時のみ微小電力を必要とするだけで、表示内容を維持するための電力は不要となり、省電力で画面表示を行うことができる。
【００１２】
本発明の情報提供システムは、上記に記載の電子入場券と、外部装置として機能する情報提供装置と、電子入場券に属性情報を書き込む発券装置と、から構成されることを特徴とする。
【００１３】
この情報提供システムでは、発券装置により電子入場券に入場者（購入者）に関する属性情報を書き込む。そして、電子入場券は、情報提供装置から送信される複数の案内情報の内、この属性情報に応じた案内情報のみを表示する。これにより、当該電子入場券を所有する入場者に適した案内情報を提供することができる。
【発明を実施するための最良の形態】
【００１４】
以下、添付の図面を参照して、本発明の一実施形態に係る電子入場券および情報提供システムについて説明する。なお、本実施形態に係る情報提供システムは、テーマパーク等において、入場者に対して案内情報を提供するシステムである。
【００１５】
図１を参照して、本発明の情報提供システム１について説明する。同図に示すように、本発明の情報提供システム１は、テーマパークＴ内において、入場者が所有する電子入場券２と、テーマパークＴの所定の位置に設置される複数の情報発信アンテナ３（３ａ〜３ｅ）と、テーマパークＴの場外（バックヤード）に設置される情報提供サーバ４と、テーマパークＴの入口付近に設置される発券装置５と、により構成されている。なお、請求項における情報提供装置は、上記の情報発信アンテナ３および情報提供サーバ４から構成されるものである。
【００１６】
発券装置５は、入場者が指定した「大人・子供の区分」および「言語タイプ」（以下、「属性情報７（図２参照）」と称す。）に応じて電子入場券２を発券するものである。この時、発券装置５は、指定された属性情報７を電子入場券２に記録して発券する。なお、この電子入場券２の発券は、テーマパークＴのオペレータが行っても良いし、あるいは、入場者自身が自動発券機を用いて行なっても良い。
【００１７】
情報提供サーバ４は、テーマパークＴに関する案内情報を管理するものであり、所定の場所に設置された複数の情報発信アンテナ３ａ〜３ｅを介して案内情報を発信する。この案内情報には属性情報７が含まれており、情報発信アンテナ３ａ〜３ｅからは、この属性情報７に応じた複数のタイプの案内情報が発信される。つまり、１つの情報発信アンテナ３から、言語別および大人／子供の区分別に分けられた複数の案内情報が発信される。例えば、図２のように、情報発信アンテナ３ａからアトラクションＡの案内情報４１を発信する場合、この情報発信アンテナ３ａからは、各属性情報７ａ〜７ｆに対応した（各属性情報７ａ〜７ｆを含む）複数のアトラクションＡに関する案内情報（説明やイベント等）４１ａ〜４１ｆが発信される。この図２に示す案内情報４１は、あくまでも一例であり、属性情報７の組み合わせにより、発信する案内情報４１の数が増減する。
【００１８】
なお、上述の大人区分（大人向け）の案内情報とは、一般常識のある大人であれば理解できる程度の案内情報である。これに対し、子供区分（子供向け）の案内情報とは、例えば、難しい漢字を使用せずにひらがなを多用した案内情報、あるいは、分かり易い表現（言い回し）にした案内情報である。また、例えば、アトラクションに関するクイズを案内情報として発信する場合は、大人区分（大人向け）は難しいクイズ、子供区分（子供向け）は簡単なクイズにする等、案内情報の内容は、属性情報７に応じて異なっていても良い。
【００１９】
電子入場券２は、テーマパークＴへの入場を許可する許可証、および各アトラクションに入るためのパスポートやチケットの役割を果たすと共に、テーマパークＴに関する案内情報を、画面表示により入場者に提供するものである。この電子入場券２には、入場者（所有者）の属性情報７が記憶されており、入場者が情報発信アンテナ３からの電波を受信可能なエリアに入ると、情報発信アンテナ３が発信する複数の案内情報のうち、自身の属性情報７に応じた案内情報を画面に表示する。
【００２０】
次に、図３を参照して、電子入場券２の構成および表示内容の一例を説明する。図３に示すように、電子入場券２は、カード型の媒体であり、表示部２１と、操作部２２と、を備え、本体内部には、電子入場券２の外周を巻回するようにアンテナ２４が配置されている。電子入場券２をカード型の形状に形成することで、一般的に普及している入場券の代わりとして違和感無く利用することが可能であり、また、テーマパークＴ等で、激しい動きをするアトラクションを利用する場合でも、邪魔にならず、利便性が良い。
【００２１】
表示部２１は、基本情報表示領域３２および案内情報表示領域３３を有している。基本情報表示領域３２には、入場者の属性情報７、テーマパーク名５１、および入場券の有効期限５２が表示される。一方、案内情報表示領域３３には、属性情報７に応じた案内情報が表示される。属性情報７（特に、大人・子供の区分）を表示することで、子供の入場制限があるアトラクションなどで、係員が入場可能か否かを即時に判断することができる。また、表示する案内情報としては、例えば、アトラクションの説明、イベント情報、アトラクションの待ち時間、アトラクションに関するクイズ、迷子案内、テーマパークＴの地図等が考えられる。
【００２２】
操作部２２は、上スクロールボタン２２ａ、下スクロールボタン２２ｂを有し、表示部２１の案内情報表示領域３３に表示された案内情報を上下にスクロールさせる。これにより、案内情報が１画面に収まらない場合においても、表示内容を切り替える（表示内容をスクロールさせる）ことができ、入場者は確実に全ての案内情報を確認することができる。
【００２３】
次に、図４の制御ブロック図を参照し、各構成要素の制御構成について説明する。まず、情報提供サーバ４は、制御部１１、記憶部１２、通信部１３の他、一般的なパーソナルコンピュータに搭載されるハードウェア構成を有している。制御部１１は、ＣＰＵ１５、ＲＯＭ１６およびＲＡＭ１７を有し、情報提供サーバ４全体を制御する。ＲＯＭ１６は、ＣＰＵ１５が各種処理を実行するための制御プログラムや制御データを記憶する。また、ＲＡＭ１７は、ＣＰＵ１５が各種処理を実行する際の作業領域として利用される。
【００２４】
記憶部１２は、案内情報データベース１８を有し、属性情報７に対応した複数の案内情報を記憶する。通信部１３は、情報発信アンテナ３と通信を行う。制御部１１は、通信部１３を制御し、装置外の情報発信アンテナ３を介して、属性情報７に対応した複数の案内情報を送信する。
【００２５】
電子入場券２は、通信部２３（情報受信手段）、アンテナ２４、記憶部２５、電源部２６、表示部２１（表示手段）、操作部２２、および各部を制御する制御部２７を備えている。通信部２３は、情報発信アンテナ３と通信を行う。当該電子入場券２が所定エリアに入ると、制御部２７は、通信部２３を制御し、アンテナ２４を介して情報発信アンテナ３から発信される案内情報を受信する。
【００２６】
記憶部２５は、不揮発性のメモリであり、基本情報記憶部３６（属性情報記憶手段）および案内情報記憶部３７を有している。基本情報記憶部３６には、当該電子入場券２の所有者の属性情報７（「大人・子供区分」および「言語タイプ」）、テーマパーク名５１、入場券の有効期限５２等が記憶される。一方、案内情報記憶部３７には、情報発信アンテナ３から受信した案内情報が記憶される。
【００２７】
電源部２６は、電子入場券２を動作させる電池であり、各部に電源を供給する。表示部２１は、電子ペーパー３１で形成されており、上述のように、属性情報７、テーマパーク名５１、入場券の有効期限５２、案内情報等の各種情報を表示する。表示部２１が電子ペーパー３１で形成されているため、表示内容の書き換え時のみ微小電力を必要とするだけで、表示内容を維持するための電力は不要となり、省電力で画面表示を行うことができる。操作部２２は、上述のとおり、上スクロールボタン２２ａおよび下スクロールボタン２２ｂを有し、表示部２１に表示される案内情報をスクロールさせる。なお、操作部２２は、表示部２１をタッチパネルにすることで、表示部２１と一体に構成するようにしても良いし、あるいは、表示部２１とは別体に構成するようにしても良い。
【００２８】
これらの構成により、制御部２７は、情報発信アンテナ３から発信される複数の案内情報の内、基本情報記憶部３６に記憶した属性情報７に対応した案内情報を選択して受信し、当該案内情報を表示部２１に表示する。例えば、図５に示すように、情報発信アンテナ３ｂから各属性情報７ａ〜７ｆに対応したアトラクションＢに関する案内情報４２ａ〜４２ｆが発信されている場合、「大人・日本語」という属性情報７ａが記憶された電子入場券２（入場者が日本人の大人）が、情報発信アンテナ３ｂからの電波を受信可能なエリアに入ると、電子入場券２は、上述のアトラクションＢに関する案内情報４２ａ〜４２ｆの中から「大人・日本語」の属性情報７ａを含む案内情報４２ａを選択して表示する。一方、当該エリアに、「子供・日本語」という属性情報７ｂが記憶された電子入場券２（入場者が日本人の子供）が入ると、電子入場券２は、上述のアトラクションＢに関する案内情報４２ａ〜４２ｆの中から「子供・日本語」の属性情報７ｂを含む案内情報４２ｂを選択して表示する。
【００２９】
続いて、図６のフローチャートを参照して、電子入場券２に所望の案内情報を表示する手順について説明する。まず、電子入場券２が、情報発信アンテナ３からの電波を受信可能なエリアに入ると、電子入場券２は、情報発信アンテナ３から発信される案内情報を受信する（Ｓ０１）。次に、電子入場券２は、案内情報に含まれる属性情報７と、自身が記憶する属性情報７と、が一致するか否かを判別する（Ｓ０２，属性情報判別手段）。属性情報７が一致する場合（Ｓ０３；Ｙｅｓ）、電子入場券２は、当該案内情報を画面表示する（Ｓ０４）。一方、属性情報７が一致しない場合（Ｓ０４；Ｎｏ）、電子入場券２は、当該案内情報を読み捨て、処理を終える。
【００３０】
以上のように、本実施形態によれば、電子入場券２は、情報発信アンテナ３（情報提供サーバ４）から属性情報７を含む１以上の案内情報を受信し、その中から自身に記憶された属性情報７に一致する案内情報を抽出して表示する。これにより、例えば、記憶した属性情報７が「子供・日本語」の場合、ひらがなを多く用い、分かり易い表現（言い回し）の子供向けの日本語表記の案内情報が自動的に表示され、「大人・英語」であれば、大人向けの英語表記の案内情報が自動的に表示されるなど、当該電子入場券２を所有する入場者に適した案内情報を自動的に表示することができる。
【００３１】
また、属性情報７として、「大人・子供の区分」を記憶することで、従来のように複数タイプの入場券（大人用入場券、子供用入場券等）を備える必要がなく、運営企業側の管理コストの負担を軽減することができる。また、属性情報７として、「言語タイプ」を記憶することで、様々な言語で記された入場券を備える必要がなく、入場券にかかるコストを削減することができる。
【００３２】
なお、本実施形態では、電子入場券２に属性情報７として、「大人・子供の区分」および「言語タイプ」の両方を記憶するようにしているが、これに限らず、どちらか一方の属性のみを記憶するようにしても良い。また、これら以外の属性情報７を用いることも可能である。例えば、属性情報７として「男女の区分」を設けることで、男性向けの案内情報（例えば、スリルのあるアトラクション情報）、女性向けの案内情報（例えば、かわいいキャラクタが登場するイベント情報）を表示することができる。
【００３３】
また、本実施形態では、電子入場券２として、カード型の媒体を例に挙げて説明しているが、これに限らず、携帯電話等の携帯情報端末であっても良い。
【００３４】
また、表示部２１における表示内容の配置、および操作部２２の位置はあくまで一例であり、これに限るものではない。
【００３５】
また、上述した実施例によらず、情報提供システム１および電子入場券２の装置構成や処理工程、について、本発明の要旨を逸脱しない範囲で、適宜変更も可能である。
【図面の簡単な説明】
【００３６】
【図１】本実施形態に係る情報提供システムのシステム構成図である。
【図２】情報発信アンテナから発信される案内情報の一例を示す図である。
【図３】電子入場券の構成および表示内容を説明する図である。
【図４】情報提供システムのブロック図である。
【図５】属性情報に応じた案内情報を選択して表示する様子を示す図である。
【図６】案内情報を表示する処理手順を示すフローチャートである。
【符号の説明】
【００３７】
１…情報提供システム  ２…電子入場券  ３…情報発信アンテナ  ４…情報提供サーバ  ５…発券装置  ７…属性情報  ２１…表示部  ２３…通信部  ２４…アンテナ  ２５…記憶部  ３１…電子ペーパー  ３６…基本情報記憶部
【図１】
2009223465.tif 000003
【図２】
2009223465.tif 000004
【図３】
2009223465.tif 000005
【図４】
2009223465.tif 000006
【図５】
2009223465.tif 000007
【図６】
2009223465.tif 000008